(57)【要約】  無線デバイス３００をハンドオーバするシステム及び方法が提供される。例示的な実施形態において、ソース基地局１００からターゲット基地局２００に無線デバイス３００をハンドオーバするソース基地局１００によって実行される方法は、無線デバイス３００が、ソース基地局１００からターゲット基地局２００にハンドオーバされることを判定することを含み得る。さらに、方法は、ターゲット基地局２００に、無線デバイス３００とソース基地局１００との間の通信に使用されるデータ無線ベアラの第１セットと、１つ以上のフロー識別子と、の現在のマッピングを送信することを含み得る。
2019536342.tif 000002
【特許請求の範囲】
【請求項１】
ソース基地局からターゲット基地局に無線デバイスをハンドオーバする、前記ソース基地局によって実行される方法であって、
前記ソース基地局から前記ターゲット基地局に無線デバイスがハンドオーバされることを判定することと、
前記ターゲット基地局に、前記無線デバイスと前記ソース基地局との間の通信に使用されるデータ無線ベアラの第１セットと、１つ以上のフロー識別子と、の現在のマッピングを送信することと、
を含む方法。
【請求項２】
請求項１に記載の方法であって、さらに、
ネットワークノード又は無線デバイスから前記現在のマッピングを受信することを含む、方法。
【請求項３】
請求項１又は２に記載の方法であって、
前記現在のマッピングを送信することは、前記無線デバイスが前記ターゲット基地局にハンドオーバされる前、ハンドオーバされると同時、或いは、ハンドオーバされた後である、方法。
【請求項４】
請求項１から３のいずれか１項に記載の方法であって、
前記１つ以上のフロー識別子は、前記無線デバイスが生成又は終端する各パケットフローに関連付けられている、方法。
【請求項５】
請求項１から４のいずれか１項に記載の方法であって、さらに、
前記ターゲット基地局から、前記無線デバイスと前記ターゲット基地局との間の通信に使用されるデータ無線ベアラの第２セットと、前記１つ以上のフロー識別子と、の新しいマッピングの表示を受信することと、
前記無線デバイスに、前記表示を送信することと、
を含む方法。
【請求項６】
請求項１から４のいずれか１項に記載の方法であって、さらに、
前記無線デバイスから、前記無線デバイスと前記ターゲット基地局との間の通信に使用されるデータ無線ベアラの第２セットと、前記１つ以上のフロー識別子と、の新しいマッピングの表示を受信することと、
前記ターゲット基地局に、前記表示を送信することと、
を含む方法。
【請求項７】
請求項５又は６に記載の方法であって、
前記新しいマッピングを送信することは、前記無線デバイスが前記ターゲット基地局にハンドオーバされる前、ハンドオーバされると同時、或いは、ハンドオーバされた後である、方法。
【請求項８】
無線デバイスをターゲット基地局にハンドオーバするソース基地局であって、
前記ソース基地局から前記ターゲット基地局に前記無線デバイスがハンドオーバされることを判定し、
前記ターゲット基地局に、前記無線デバイスと前記ソース基地局との間の通信に使用されるデータ無線ベアラの第１セットと、１つ以上のフロー識別子と、の現在のマッピングを送信する様に構成される、ソース基地局。
【請求項９】
請求項８に記載のソース基地局であって、
請求項２から７のいずれか１項に記載の方法を実行する様に構成される、ソース基地局。
【請求項１０】
ソース基地局からターゲット基地局に無線デバイスをハンドオーバするために、前記無線デバイスによって実行される方法であって、
前記ソース基地局から前記ターゲット基地局に前記無線デバイスがハンドオーバされることを判定することと、
前記ターゲット基地局に、前記無線デバイスと前記ソース基地局との間の通信に使用されるデータ無線ベアラの第１セットと、１つ以上のフロー識別子と、の現在のマッピングを送信することと、
を含む方法。
【請求項１１】
請求項１０に記載の方法であって、
前記現在のマッピングを送信することは、前記ソース基地局を介する、方法。
【請求項１２】
請求項１０又は１１に記載の方法であって、さらに、
前記無線デバイスと前記ターゲット基地局との間の通信に使用されるデータ無線ベアラの第２セットと、前記１つ以上のフロー識別子と、の新しいマッピングを取得することを含む、方法。
【請求項１３】
請求項１２に記載の方法であって、
前記取得することは、前記ターゲット基地局から、前記新しいマッピングの表示を受信することを含む、方法。
【請求項１４】
請求項１３に記載の方法であって、
前記受信することは、前記ソース基地局を介する、方法。
【請求項１５】
請求項１３又は１４に記載の方法であって、さらに、
前記ターゲット基地局に、前記新しいマッピングの受信を確認する表示を送信することを含む、方法。
【請求項１６】
請求項１５に記載の方法であって、
前記確認の表示を送信することは、前記ソース基地局を介する、方法。
【請求項１７】
請求項１２から１６のいずれか１項に記載の方法であって、
前記新しいマッピングは、前記現在のマッピングと同じ、或いは、前記新しいマッピングは、前記第２セットを取得するために、前記第１セットからデータ無線ベアラを削除、若しくは、前記第１セットにデータ無線ベアラを追加する、方法。
【請求項１８】
請求項１０又は１１に記載の方法であって、さらに、
前記無線デバイスが前記ターゲット基地局にハンドオーバされた後、
前記ターゲット基地局から、前記無線デバイスと前記ターゲット基地局との間の通信に使用される新しいデータ無線ベアラ上の１つ以上のダウンリンクパケットフローに関連付けられた１つ以上のフロー識別子を受信することと、
前記１つ以上のフロー識別子を１つ以上のアップリングパケットフローにマッピングすることと、
前記ターゲット基地局に、前記新しい無線ベアラ上の前記１つ以上のアップリングパケットフローを送信することと、
を含む方法。
【請求項１９】
請求項１０又は１１に記載の方法であって、さらに、
前記無線デバイスが前記ターゲット基地局にハンドオーバされた後、前記無線デバイスと前記ターゲット基地局との間の通信に使用されるデフォルトデータ無線ベアラに前記１つ以上のフロー識別子をマッピングすることを含む、方法。
【請求項２０】
請求項１０又は１１に記載の方法であって、さらに、
前記ターゲット基地局へのハンドオーバが失敗した後、前記現在のマッピングに基づき前記第１セットに前記１つ以上のフロー識別子をマッピングすることを含む、方法。
【請求項２１】
請求項１０から１２のいずれか１項に記載の方法であって、
前記１つ以上のフロー識別子は、前記無線デバイスが生成又は終端する各パケットフローに関連付けられている、方法。
【請求項２２】
ソース基地局からターゲット基地局にハンドオーバされ得る無線デバイスであって、
前記ソース基地局から前記ターゲット基地局に前記無線デバイスがハンドオーバされることを判定し、
前記ターゲット基地局に、前記無線デバイスと前記ソース基地局との間の通信に使用されるデータ無線ベアラの第１セットと、前記無線デバイスが生成又は終端する各パケットフローに関連付けられた１つ以上のフロー識別子と、の現在のマッピングを送信する様に構成される、無線デバイス。
【請求項２３】
請求項２２に記載の無線デバイスであって、
請求項１１から２１のいずれか１項に記載の方法を実行する様に構成される、無線デバイス。
【請求項２４】
ソース基地局からターゲット基地局に無線デバイスをハンドオーバする、前記ターゲット基地局によって実行される方法であって、
前記無線デバイスと前記ソース基地局との間の通信に使用されるデータ無線ベアラの第１セットと、１つ以上のフロー識別子と、の現在のマッピングを取得することと、
前記無線デバイスと前記ターゲット基地局との間の通信に使用されるデータ無線ベアラの第２セットと、前記１つ以上のフロー識別子と、の新しいマッピングを判定することと、
前記新しいマッピングを前記無線デバイスにシグナリングすることと、
を含む方法。
【請求項２５】
請求項２４に記載の方法であって、
前記取得することは、前記ソース基地局又は前記無線デバイスから、前記現在のマッピングを受信することを含む、方法。
【請求項２６】
請求項２５に記載の方法であって、
前記受信することは、前記ソース基地局を介する、方法。
【請求項２７】
請求項２５又は２６に記載の方法であって、
前記受信することは、前記無線デバイスが前記ターゲット基地局にハンドオーバされる前、ハンドオーバされると同時、或いは、ハンドオーバされた後である、方法。
【請求項２８】
請求項２４から２７のいずれか１項に記載の方法であって、
前記判定することは、前記新しいマッピングが、前記現在のマッピングと同じであることを判定すること、或いは、前記新しいマッピングが、前記第２セットを取得するために、前記第１セットからデータ無線ベアラを削除、或いは、前記第１セットにデータ無線ベアラを追加すると判定することを含む、方法。
【請求項２９】
請求項２４から２７のいずれか１項に記載の方法であって、
前記判定することは、前記無線デバイスが前記ターゲット基地局にハンドオーバされた後、前記第２セットの新しいデータ無線ベアラと、前記１つ以上のフロー識別子と、の新しいマッピングを判定することを含む、方法。
【請求項３０】
請求項２４から２７のいずれか１項に記載の方法であって、
前記判定することは、前記無線デバイスが前記ターゲット基地局にハンドオーバされた後、前記無線デバイスと前記ターゲット基地局との間の通信に使用される新しいデータ無線ベアラ上の１つ以上のダウンリンクパケットフローに関連付けられた前記１つ以上のフロー識別子の新しいマッピングを判定することを含む、方法。
【請求項３１】
請求項３０に記載の方法であって、さらに、
前記無線デバイスに、前記新しいマッピングに基づき前記新しいデータ無線ベアラ上で前記１つ以上のダウンリンクパケットフローを送信し、前記送信に応答して、前記無線デバイスから、前記１つ以上のフロー識別子にマッピングされた前記新しいデータ無線ベアラ上の１つ以上のアップリンクパケットフローを受信することを含む、方法。
【請求項３２】
請求項２４から３１のいずれか１項に記載の方法であって、
前記シグナリングすることは、前記無線デバイスに、前記新しいマッピングの表示を送信することを含む、方法。
【請求項３３】
請求項３２に記載の方法であって、
前記新しいマッピングの表示を送信することは、前記ソース基地局を介する、方法。
【請求項３４】
請求項２４から３３のいずれか１項に記載の方法であって、
前記１つ以上のフロー識別子は、前記無線デバイスが生成又は終端する各パケットフローに関連付けられている、方法。
【請求項３５】
ソース基地局からターゲット基地局に無線デバイスをハンドオーバする前記ターゲット基地局であって、
前記無線デバイスと前記ソース基地局との間の通信に使用されるデータ無線ベアラの第１セットと、前記無線デバイスが生成又は終端する各パケットフローに関連付けられた１つ以上のフロー識別子と、の現在のマッピングを取得し、
前記無線デバイスと前記ターゲット基地局との間の通信に使用されるデータ無線ベアラの第２セットと、前記１つ以上のフロー識別子と、の新しいマッピングを判定し、
前記無線デバイスに、前記新しいマッピングを通知する様に構成される、ターゲット基地局。
【請求項３６】
請求項３５に記載のターゲット基地局であって、
請求項２５から３４のいずれか１項に記載の方法を実行する様に構成される、ターゲット基地局。
【請求項３７】
少なくとも１つのプロセッサで実行されると、前記少なくとも１つのプロセッサに、請求項１から７のいずれか１項に記載の方法、請求項１０から２１のいずれか１項に記載の方法、或いは、請求項２４から３４のいずれか１項に記載の方法を実行させる命令を含む、コンピュータプログラム。
【請求項３８】
請求項３７に記載のコンピュータプログラムを含むキャリアであって、
前記キャリアは、電気信号、光信号、無線信号、又は、コンピュータ可読記憶媒体の１つである、キャリア。
【請求項３９】
少なくとも１つのプロセッサで実行されると、前記少なくとも１つのプロセッサに、請求項１から７のいずれか１項に記載の方法、請求項１０から２１のいずれか１項に記載の方法、或いは、請求項２４から３４のいずれか１項に記載の方法を実行させる命令を含むコンピュータプログラムを格納する、コンピュータ可読記憶媒体。
【発明の詳細な説明】
【技術分野】
【０００１】
本発明は、概して、通信の分野に関し、特に、ソース基地局からターゲット基地局へ無線デバイスをハンドオーバすることに関する。
【背景技術】
【０００２】
標準化団体３ＧＰＰは、現在、次世代パケットコアネットワーク（ＮＧＣＮ又はＮＧＣ）と同様に、ＮＲ、５Ｇ又はＧ−ＵＴＲＡと呼ばれる新しい無線インタフェースの仕様化を行っている。次世代無線アクセスネットワーク（ＲＡＮ）は、発展型ＬＴＥ及び／又はＮＲ無線アクセスをサポートする基地局を含み得る。次世代システムのためのサービス品質（ＱｏＳ）概念についていくつかの合意がある。このＱｏＳ概念の態様は、ＲＡＮが、ＲＡＮとコアネットワークとの間のユーザプレーンを介してパケットマーキングを行う様に提供されることを含む。マーキングは、無線を介してＱｏＳ処理を提供するためにＲＡＮが後に使用するフロー識別子（ＩＤ）を含み得る。データ無線ベアラ（ＤＲＢ）のＡＳレベルＱｏＳと、アップリンク及びダウンリンクパケットがどのようにＤＲＢにマッピングされるかを定義することはＲＡＮ次第であり得る。
【発明の概要】
【発明が解決しようとする課題】
【０００３】
既存の解決法の問題の１つは、異なる基地局は、フローＩＤとデータ無線ベアラとを異なる様にマッピングし得るので、無線デバイスがソース基地局からターゲット基地局にハンドオーバされた後、エンドユーザ及びシステム性能の低下が適用可能となることである。
【課題を解決するための手段】
【０００４】
本発明の目的は、基地局間での無線デバイスのハンドオーバシナリオにおけるＱｏＳ処理を改善することである。
【０００５】
この目的は独立請求項によって達成される。有利な実施形態は従属請求項に記載される。
【０００６】
一態様によると、ソース基地局からターゲット基地局に無線デバイスをハンドオーバする、ソース基地局によって実行される方法が提供される。当該方法は、無線デバイスがソース基地局からターゲット基地局にハンドオーバされることを判定することと、ターゲット基地局に、無線デバイスとソース基地局との間の通信で使用されるデータ無線ベアラの第１セットと、１つ以上のフロー識別子と、の間の現在のマッピングを送信することと、を含む。
【０００７】
さらなる態様によると、無線デバイスをターゲット基地局にハンドオーバするソース基地局が提供される。ソース基地局は、無線デバイスがソース基地局からターゲット基地局にハンドオーバされることを判定する様に構成される。ソース基地局は、さらに、ターゲット基地局に、無線デバイスとソース基地局との間の通信に使用されるデータ無線ベアラの第１セットと、１つ以上のフロー識別子と、の間の現在のマッピングを送信する様に構成される。
【０００８】
さらなる態様によると、無線デバイスをターゲット基地局にハンドオーバするソース基地局が提供される。ソース基地局は、無線デバイスがソース基地局からターゲット基地局にハンドオーバされることを判定する様に構成された処理回路を備える。処理回路は、さらに、ターゲット基地局に、無線デバイスとソース基地局との間の通信に使用されるデータ無線ベアラの第１セットと、１つ以上のフロー識別子と、の間の現在のマッピングを送信する様に構成される。
【０００９】
さらなる態様によると、無線デバイスをソース基地局からターゲット基地局にハンドオーバするために無線デバイスによって実行される方法が提供される。当該方法は、無線デバイスがソース基地局からターゲット基地局にハンドオーバされることを判定することと、ターゲット基地局に、無線デバイスとソース基地局との間の通信に使用されるデータ無線ベアラの第１セットと、１つ以上のフロー識別子と、の間の現在のマッピングを送信することと、を含む。
【００１０】
さらなる態様によると、ソース基地局からターゲット基地局にハンドオーバされ得る無線デバイスが提供される。当該無線デバイスは、無線デバイスがソース基地局からターゲット基地局にハンドオーバされることを判定する様に構成される。無線デバイスは、さらに、ターゲット基地局に、無線デバイスとソース基地局との間の通信に使用されるデータ無線ベアラの第１セットと、無線デバイスが生成又は終端する各パケットフローに関連付けられた１つ以上のフロー識別子と、の間の現在のマッピングを送信する様に構成される。
【００１１】
さらなる態様によると、ソース基地局からターゲット基地局にハンドオーバされ得る無線デバイスが提供される。当該無線デバイスは、無線デバイスがソース基地局からターゲット基地局にハンドオーバされることを判定する様に構成された処理回路を含む。処理回路は、さらに、ターゲット基地局に、無線デバイスとソース基地局との間の通信に使用されるデータ無線ベアラの第１セットと、無線デバイスが生成又は終端する各パケットフローに関連付けられた１つ以上のフロー識別子と、の間の現在のマッピングを送信する様に構成される。
【００１２】
さらなる態様によると、無線デバイスをソース基地局からターゲット基地局にハンドオーバする、ターゲット基地局によって実行される方法が提供される。当該方法は、無線デバイスとソース基地局との間の通信に使用されるデータ無線ベアラの第１セットと、１つ以上のフロー識別子と、の間の現在のマッピングを取得することと、無線デバイスとターゲット基地局との間の通信に使用されるデータ無線ベアラの第２セットと、１つ以上のフロー識別子と、の間の新しいマッピングを判定することと、を含む。方法は、さらに、新しいマッピングを無線デバイスにシグナリングすることを含む。
【００１３】
さらなる態様によると、無線デバイスをソース基地局からターゲット基地局にハンドオーバするターゲット基地局が提供される。当該ターゲット基地局は、無線デバイスとソース基地局との間の通信に使用されるデータ無線ベアラの第１セットと、無線デバイスが生成又は終端する各パケットフローに関連付けられた1つ以上のフロー識別子と、の間の現在のマッピングを取得する様に構成される。ターゲット基地局は、さらに、無線デバイスとターゲット基地局との間の通信に使用されるデータ無線ベアラとの間の第２セットと、１つ以上のフロー識別子と、の間の新しいマッピングを判定し、無線デバイスに新しいマッピングを通知する様に構成される。
【００１４】
さらなる態様によると、無線デバイスをソース基地局からターゲット基地局にハンドオーバするターゲット基地局が提供される。当該ターゲット基地局は、無線デバイスとソース基地局との間の通信に使用されるデータ無線ベアラの第１セットと、無線デバイスが生成又は終端する各パケットフローに関連付けられた1つ以上のフロー識別子と、の間の現在のマッピングを取得する様に構成される処理回路を備えている。処理回路は、さらに、無線デバイスとターゲット基地局との間の通信に使用されるデータ無線ベアラの第２セットと、１つ以上のフロー識別子と、の間の新しいマッピングを判定し、無線デバイスに新しいマッピングを通知する様に構成される。
【００１５】
上述した態様の１つの利点は、ソース基地局からターゲット基地局へのハンドオーバ後にもフローとＤＲＢとのマッピングを可能にすることであり、これは、オペレータポリシーによるＱｏＳの差が、ターゲット基地局にも適用され、エンドユーザ及びシステムのパフォーマンスの改良に繋がることを意味する。
【００１６】
１つのさらなる利点は、ＵＥがターゲット基地局又はセルに到着したときに、フローとＤＲＢとのマッピングが直ちに適用され、よって、遅延が低減されることである。
【００１７】
本開示の実施形態を示す添付の図面を参照して、以下では本開示の詳細について説明する。しかしながら、本開示を、本明細書に記載の実施形態に限定するものと解釈すべきではない。むしろ、これらの実施形態は、この開示が徹底的かつ完全であり、本開示の範囲を当業者に十分に伝えるために提供される。全体を通して、同様の参照符号は同様の要素を示す。
【図面の簡単な説明】
【００１８】
【図１】本開示の種々の態様に従う無線デバイスをハンドオーバするシステムの一実施形態を示す図。
【図２】本開示の種々の態様に従うＱｏＳマッピング及びフィルタリングのためのシステムの一実施形態を示す図。
【図３】本開示の種々の態様に従うパケットをフローにマッピングするためのシステムの一実施形態を示す図。
【図４】本開示の種々の態様に従うソース基地局により実行されるハンドオーバ方法の一実施形態を示す図。
【図５】本開示の種々の態様に従う無線デバイスにより実行されるハンドオーバ方法の一実施形態を示す図。
【図６】本開示の種々の態様に従うターゲット基地局により実行されるハンドオーバ方法の一実施形態を示す図。
【図７】本開示の種々の態様に従うソース基地局又は他の無線ネットワークノードの一実施形態を示す図。
【図８】本開示の種々の態様に従うターゲット基地局又は他の無線ネットワークノードの一実施形態を示す図。
【図９】本開示の種々の態様に従う無線デバイスの一実施形態を示す図。
【図１０】本開示の種々の態様に従う無線デバイスの別の実施形態を示す図。
【発明を実施するための形態】
【００１９】
簡潔さ及び例示目的のため、本開示は、その例示的実施形態を主に参照することによって説明される。以下の説明では、本開示の完全な理解を提供するために多数の特定の詳細が述べられる。しかしながら、本開示がこれらの具体的な詳細に限定されることなく実施され得ることは当業者には容易に明らかであろう。この説明では、本開示を不必要に曖昧にしないように、周知の方法及び構造については詳細に説明しない。
【００２０】
本開示は、同じ場所にある無線ノード間のチャネル情報を共有するためのシステム及び方法を説明することを含む。例えば、図１は、本開示の種々の態様に従う無線デバイス３００をハンドオーバするためのシステム１０の一実施形態を示している。無線デバイス又はＵＥ３００は、接続４３を介してソース基地局１００として示される基地局１００に接続される。ソース基地局１００は、セル３５内で接続を提供するように適合されている。無線デバイス／ＵＥ３００又はネットワークは、セル３５を提供し、ターゲット基地局２００と名付けられ得る他の基地局２００により無線デバイス／ＵＥ３００がサービス提供されるのが良いかを判定し得る。ソース基地局１００とターゲット基地局２００は、Ｘ２インタフェース又はＸＮインタフェース４１を介して接続され得る。基地局１００、２００は、発展型ＬＴＥ及び／又はニューレディオ（ＮＲ）無線アクセスをサポートする次世代ＲＡＮ３０の一部であり得る。
【００２１】
ソース基地局１００及びターゲット基地局２００の両方は、参照点ＮＧ２（制御プレーン）及びＭＧ３（ユーザプレーン）を介して、次世代コアネットワーク２０の一部であり得るコアネットワークノード２５に接続される。次世代コアネットワーク２０は、ＮＧ６参照点を介してデータネットワーク（ＰＤＮ）４０に接続される。データネットワークは、オペレータ外部公衆又は私的データネットワーク、或いは、例えば、ＩＭＳサービス提供のためのオペレータ内データネットワークであり得る。この参照点は、３ＧＰＰアクセスのＳＧｉに対応し得る。データネットワーク及び次世代コアネットワーク２０は、コアネットワーク１０の一部であり得る。
【００２２】
図２は、本開示の種々の態様に従うＱｏＳマッピング及びフィルタリングのシステムの一実施形態を示している。この例において、この実施形態のユーザ装置（ＵＥ）であり得る無線デバイス３００は、送信元及び宛先ＩＰアドレスとポート番号とに基づいて、どのベアラが各パケットを伝送するかを判定する様に構成されたアップリンク（ＵＬ）パケットフィルタ（ＴＦＴ）を備える。各ＴＦＴは、ＵＥ３００と無線基地局１００、２００との間の発展型パケットシステム（ＥＰＳ）無線ベアラに割り当てられ、これは図２の例ではｅＮｏｄｅＢ（ｅＮＢ）として示されている。無線基地局１００、２００は、４Ｇ（ＬＴＥ）又は５Ｇ（ＮＲ：ニューレディオ）のような任意の規格による無線基地局であり得る。ｅＮＢ１００、２００とパケットデータネットワーク（ＰＤＮ）ゲートウェイ（ＧＷ）２５との間のコアネットワーク側には、ダウンリンク（ＤＬ）サービスデータフロー（ＳＤＦ）をｅＮＢ１００、２００へのＳ１データフローにマッピングするためにＤＬパケットフィルタ（ＴＦＴ）が設けられる。
【００２３】
図３は、本開示の種々の態様に従うパケットをフローにマッピングするシステムの一実施形態を示している。この図は、次世代（ＮｅｘｔＧｅｎ）コアネットワーク（ＣＮ）に予想される変更を示している。図２に示す、ＩＰパケットをＥＰＳベアラにマッピングする代わりに、次世代コアネットワークはパケットをフローにグループ化することが想定されている。これは、ＥＰＳで定義されているＴＦＴと同様のパケットフィルタによって実行され得る。次世代ＣＮ及びＵＥ３００は、例えば、同じＩＰ／ポート番号タプルを出入りする総てのパケットが"フロー"に属することを保証できる。トランスポートネットワークを通過する途中で、各パケットはある種の"フローＩＤ"でマークされ得る。図３において、これらのフィルタは、データパケットをフローにマッピングする非アクセスストラタム（ＮＡＳ）フィルタと呼ばれる。発展型（Ｅ）−ＵＴＲＡ／発展型パケットコア（ＥＰＣ）と同様に、コアネットワークは、ダウンリンクフィルタをローカルに決定して適用し、ＮＡＳシグナリングにより、１つ以上の事前承認されたＱｏＳルールに含まれるアップリンクの"ＮＡＳフィルタ"のセットでＵＥ３００を構成し得る。ＱｏＳルールは、プロトコルデータユニット（ＰＤＵ）セッションの確立時又はＰＤＵセッションの有効期間中に事前承認され得る。
【００２４】
ＵＥ３００において、フローをデータ無線ベアラ（ＤＲＢ）にマッピングするアクセスストラタム（ＡＳ）フィルタが導入される。ＡＳは、レイヤ１とレイヤ２に割り当てられ、ＮＡＳは上位レイヤ（ＰＤＣＰ/ＲＲＣレイヤより上）に割り当てられる。図３の例では、（サービスデータフロー中の）ＩＰパケットは、水平線、垂直線及び横断線によりマークされる３つの異なるフローにマッピングされる。この実施形態における３つのフローは、ＡＳフィルタを介して、白と黒でマークされている２つのデータ無線ベアラにさらにマッピングされる。しかしながら、当業者にとって、より多くの又はより少ないデータ無線ベアラにマッピングされ得るより多くの又はより少ないフローを有することは明らかである。本実施形態におけるｅＮＢである無線基地局１００、２００において、ＡＳフィルタは、データ無線ベアラをフローＩＤ又は同様の表示を有するパケットにマッピングする。ＮＡＳフィルタは、ゲートウェイ（ＧＷ）２５に含まれており、ゲートウェイ（ＧＷ）２５は、フローＩＤを有するパケットをサービスデータフロー内のＩＰパケットにマッピングする。パケットフローの方向は、アップリンク又はダウンリンクの方向であり得る。
【００２５】
ＡＳフィルタは、入力パケットの"フローＩＤ"を単に見ることによってＤＲＢを判定、つまり、ＡＳ層は、サービス、トラフィックフローテンプレート、及び、アドレス／ポートタプルを認識する必要はない。一方、ＮＡＳフィルタは、サービスから"フローＩＤ"へのマッピングを決定するが、ＤＲＢを認識する必要はない。２段階フィルタリングは、事前構成されたＱｏＳマッピング（別名、事前認証ＱｏＳ）によく適合する。ｅＮＢ１００、２００は、フローＩＤ毎にＤＲＢを決定し、そのような構成を、ＲＲＣ（無線リソース制御）を介してＵＥ３００に提供し得る。このＡＳ構成は、ＡＳとＮＡＳが共通のフローＩＤのセットを使用する必要があることを除き、対応するＮＡＳマッピング（"フロー"へのＩＰパケット）とは無関係である。したがって、ＲＡＮは、"ＡＳフィルタ"を設定し、ＣＮは、"ＮＡＳフィルタ"を設定する。
【００２６】
同様に、ＥＰＳのＰＤＮコネクションに対して、次世代ＣＮは、複数のＰＤＵセッションをサポートする。たとえ含まれているパケットが重複するＩＰアドレス範囲を持っていても、それらを分離するために、各ＰＤＵセッションは個別のトランスポートネットワークベアラにマッピングされる。また、ＵＥ３００は、パケットを正しくルーティングするために、どのＩＰパケットがどのＰＤＮセッションに属するのかを決定できなければならない。これは、リフレクティブＱｏＳフィルタリングを考慮する必要があり得る。
【００２７】
フロー識別子のデータ無線ベアラへのマッピングに関する情報が提供される異なる実施形態で以下に列挙する総てのステップにおいて、このマッピング情報は、各フロー識別子に関連付けられているＰＤＵセッションＩＤへのフロー識別子のマッピングも提供することによって強化され得る。符号化は、フローＩＤごとに、或いは、特定のＰＤＵセッションＩＤに属するフロー識別子をグループ化することによっても行われ得る。
【００２８】
以下の実施形態では、無線デバイス又はＵＥ３００は、ソース基地局１００としても参照される基地局に接続されており、ＵＥ３００は、データの送信又は受信を開始し得ることを想定する。データは、それらのフローＩＤによって識別される異なるフローに関連付けられ得ることも想定する。フローの分類は、（ＵＥ３００からソース基地局１００への）アップリンク方向についてはＵＥ３００により実行され、（ソース無線基地局１００からＵＥ３００への）ダウンリンク方向についてはコアネットワークにより実行される。
【００２９】
図４は、ソース基地局１００によって実行されるハンドオーバの例示的な方法４００を示す。方法４００は、ソース基地局１００によってサービス提供される無線デバイス３００がターゲット基地局２００にハンドオーバされるときに実施される。方法は、無線デバイス３００がソース基地局１００からターゲット基地局２００へハンドオーバされることをソース基地局１００が判定することで開始される（ブロック４１０）。この判定に応答して、ソース基地局１００は、ターゲット基地局２００に、無線デバイスとソース基地局との間の通信に使用されたデータ無線ベアラの第１セットと、無線デバイスが生成又は終端する各パケットフローに関連付けられた１つ以上のフロー識別子と、の間の現在のマッピングを送信する（ブロック４２０）。現在のマッピングは、ネットワークノードから、或いは、無線デバイス３００から受信され得る。
【００３０】
ソース基地局は、現在のマッピングを、サイドホールインタフェースを介してターゲット基地局２００に直接送信してもよく、或いは、別のネットワークノード（例えば、無線デバイス３００又はコアネットワークノード）を介して間接的に送信してもよい。
【００３１】
さらなる実施形態によると、ソース基地局１００は、ターゲット基地局２００から、無線デバイス３００とターゲット基地局２００との間の通信に使用されるデータ無線ベアラの第２セットと、１つ以上のフロー識別子と、の間の新しいマッピングの表示を受信する。この表示は、無線デバイス３００に送信される。別の実施形態において、無線デバイス３００とターゲット基地局２００との間の通信に使用されるデータ無線ベアラの第２セットと、１つ以上のフロー識別子と、の間の新しいマッピングの表示は、無線デバイス３００から受信され、ターゲット基地局２００に送信される。新しいマッピングの送信は、無線デバイス３００がターゲット基地局２００にハンドオーバされる前、ハンドオーバされると同時、或いは、ハンドオーバされた後に行われ得る。これらのさらなる実施形態は、ターゲット及びソース基地局又はセルにおいて異なる数のＤＲＢを使用することを可能にする。ターゲット基地局２００におけるフローＩＤからＤＲＢへのマッピングの変更は、ローカル構成、負荷又は無線状態を考慮してターゲット基地局２００において最適化された性能を可能にする。
【００３２】
図５は、無線デバイス３００によって実行されるハンドオーバの対応する方法５００を示している。方法５００は、無線デバイス３００がソース基地局１００からターゲット基地局２００にハンドオーバされるときに実施される。方法は、無線デバイス３００がソース基地局１００からターゲット基地局２００にハンドオーバされることを判定することで開始される（ブロック５１０）。この判定に応答して、無線デバイス３００は、ターゲット基地局２００に、無線デバイス３００とソース基地局１００との間の通信に使用されているデータ無線ベアラの第１セットと、無線デバイス３００が生成又は終端する各パケットフローに関連付けられた１つ以上のフロー識別子と、の間の現在のマッピングを送信する（ブロック５２０）。無線デバイス３００は、ハンドオーバを実行する前、ハンドオーバ中、又は、ハンドオーバ直後に現在のマッピングをターゲット基地局２００に送信し得る。
【００３３】
さらなる実施形態によると、現在のマッピングの送信は、ソース基地局１００を介して行われ得る。
【００３４】
さらなる実施形態によると、フロー識別子のデータ無線ベアラへの現在のマッピングは、無線デバイス３００によってソース基地局１００からターゲット基地局２００に伝達され得る。無線デバイス３００が、ソース又はターゲット無線基地局１００、２００であり得るネットワークから、ターゲット基地局２００又はセル内でどの様にデータ無線ベアラへのフロー識別子のマッピングを実行するかについての情報を受信することもできる。この実施形態は、ターゲット及びソース基地局／セル１００において異なる数のデータ無線ベアラの使用を可能にし得る。
【００３５】
さらなる実施形態によると、無線デバイス３００に転送される情報は、制御プレーンメッセージ（例えば、ＲＲＣ）、又は、ユーザプレーンシグナリング（例えば、ＰＤＣＰ、ＲＬＣ、ＭＡＣ）の一部として転送され得る。メッセージは、２つの基地局１００、２００間のハンドオーバ手順、或いは、状態遷移手順（例えば、無線デバイス又はＵＥ３００が何らかの省電力状態からアクティブ状態に戻るとき）の一部であり得る。
【００３６】
さらなる実施形態によると、無線デバイス３００とターゲット基地局２００との間の通信に使用されるデータ無線ベアラの第２セットと、１つ以上のフロー識別子と、の間の新しいマッピングが取得される。取得することは、ターゲット基地局２００から、新しいマッピングの表示を受信することを含み得る。受信することは、ソース基地局１００を介して行われ得る。新しいマッピングの受信を確認する表示が、ターゲット基地局２００に送信され得る。確認表示の送信は、ソース基地局１００を介して行われ得る。確認は、無線デバイス３００がターゲット基地局２００に到着する前又は後において、ネットワークインタフェースを介して、及び／又は、無線インタフェースを介して転送され得る。無線デバイス３００がターゲット基地局２００に到着する前にマッピングを持つことの利点は、ターゲット基地局２００又はセル内でトラフィックが開始すると直ぐに、或いは、後の段階で、無線デバイス３００が、新しいマッピングを使用できることである。
【００３７】
さらなる実施形態によると、新しいマッピングは現在のマッピングと同じである。新しいマッピングが、第２セットを取得するために第１セットからデータ無線ベアラを削除、或いは、第１セットにデータ無線ベアラを追加することも可能であり得る。
【００３８】
さらなる実施形態によると、マッピングは、無線デバイス３００に対して明示的にシグナリングされ、或いは、ターゲット基地局２００又はＲＡＮノードがＤＬパケットを所与のデータ無線ベアラにマッピングし、次いで無線デバイス３００が、同じアプリケーション又はトランスポートフローに関連付けられたＵＬパケットの、ＵＬ内の同じデータ無線ベアラへの同様のマッピングを実行する、リフレクティブＱｏＳ概念を使用して暗黙的に伝えられ得る。言い換えると、無線デバイス３００は、ターゲット基地局２００にハンドオーバされた後、ターゲット基地局２００から、無線デバイス３００とターゲット基地局２００との間の通信に使用される新しいデータ無線ベアラ上の１つ以上のダウンリンクパケットフローに関連付けられた１つ以上のフロー識別子を受信し得る。無線デバイス３００は、次に、１つ以上のフロー識別子を１つ以上のアップリンクパケットフローにマッピングし、新しいデータ無線ベアラ上の１つ以上のアップリンクパケットフローをターゲット基地局２００に送信する。この実施形態は、フローＩＤとＤＲＢとの間のマッピング情報を無線デバイス３００に明示的にシグナリングする必要性がないという利点を有する。無線デバイス３００は、受信したＱｏＳ設定をターゲット基地局２００に向けて反映するだけである。
【００３９】
さらなる実施形態によると、無線デバイス３００は、ターゲット基地局２００にハンドオーバされた後、１つ以上のフロー識別子を、無線デバイス３００とターゲット基地局２００との間の通信に使用されるデフォルトデータ無線ベアラにマッピングする。この実施形態は、マッピング情報の転送が失敗、或いは、不可能であってもデフォルトベアラへのマッピングを行うことができるという利点を有する。
【００４０】
さらなる実施形態によると、無線デバイス３００は、ターゲット基地局２００へのハンドオーバが失敗した後、現在のマッピングに基づいて、１つ以上のフロー識別子を第１セットにマッピングする。
【００４１】
１つ以上のフロー識別子は、無線デバイス３００が生成又は終端する各パケットフローに関連付けられ得る。フローＩＤは、ＵＬパケット又はＤＬパケットと一緒に搬送され得る。さらなる実施形態によると、フローＩＤは別々にシグナリングされ得る。これにより、シグナリングメッセージのより柔軟な処理が可能になり、既存のメッセージを適応させる必要がなくなる。
【００４２】
ソース基地局１００は、ハンドオーバを実行する前に、ハンドオーバ中に、ハンドオーバと同時に、或いは、ハンドオーバ直後に、現在のマッピングをターゲット基地局２００に送信し得る。ハンドオーバ前にマッピングを提供することの利点は、ターゲット基地局２００が既に既存のマッピングを認識しているので、ターゲット基地局２００はハンドオーバ手順の後、非常に早く遅延なく通信を引き継ぐことができることである。マッピングがハンドオーバ中、或いは、ハンドオーバと同時に提供される場合、マッピングをハンドオーバシグナリングに統合することができるので、制御データトラフィックは減少する。ハンドオーバ直後にマッピングが提供される場合、ハンドオーバが失敗したとしてもマッピング情報を提供する危険性は非常に低い。
【００４３】
１つ以上のフロー識別子は、無線デバイスが生成又は終端する各パケットフローと関連付けられ得る。無線を介した、フローＩＤのデータ無線ベアラへのマッピングの効率的なシグナリングのための手段を提供してオーバーヘッドを最小化し、重要なメッセージ（ハンドオーバコマンド等）の配信の機会を最大化する。
【００４４】
現在又は新しいデータ無線ベアラのフローへのマッピングのシグナリングは、ターゲット基地局とソース基地局との間のインタフェース（例えば、Ｘ２、ＸＮ）を介して、或いは、例えば、ＣＮノード（Ｓ１／ＮＧ−２を介して）といった他のノードを介して実行され得る。マッピングはシグナリングメッセージで搬送され得る。シグナリングメッセージは、ハンドオーバシグナリング又はコンテキストフェッチシグナリングに関連し得る。
【００４５】
図６は、ターゲット基地局２００によって実行されるハンドオーバの方法６００を示している。方法６００は、無線デバイス３００がソース基地局１００からターゲット基地局２００にハンドオーバされるときに実行される。最初に、ターゲット基地局２００は、無線デバイス３００とソース基地局１００との間の通信に使用されているデータ無線ベアラの第１セットと、無線デバイス３００が生成又は終端する各パケットフローに関連付けられた１つ以上のフロー識別子と、の間の現在のマッピングを取得する（ブロック６１０）。ターゲット基地局２００は、ソース基地局１００から直接、コアネットワーク２０内のネットワークノードを介してソース基地局１００から間接的に、或いは、ハンドオーバされている無線デバイス３００から現在のマッピングを取得し得る。現在のマッピングを受信した後、ターゲット基地局２００は、無線デバイス３００とターゲット基地局２００との間の通信に使用されるデータ無線ベアラの第２セットと、１つ以上のフロー識別子と、の間の新しいマッピングを判定する（ブロック６２０）。ターゲット基地局２００は、新しいマッピング又は新しいマッピングの表示を無線デバイス３００にシグナリングする（ブロック６３０）。送信はソース基地局１００を介して行われ得る。
【００４６】
さらなる実施形態において、ターゲット基地局２００は、現在のマッピングが使用されるべきであることを指示し得る。この指示は、明示的（シグナリングフラグを介して）でも、データ無線ベアラの数が同じで新しいマッピングが通知されないという事実から暗黙的でもよい。ターゲット基地局２００は、データ無線ベアラの数を減らすべきであることと、１つのデータ無線ベアラにマッピングされる幾つかのフローを別のデータ無線ベアラに移動させるべきであることと、を示し得る。これは明示的（例えば、フロー１、３、７はデータ無線ベアラ４に移動されるべきである）であり得る、或いは、データ無線ベアラが削除された場合にそのデータ無線にマッピングされた総てのフローを別のデータ無線ベアラ（例えば、デフォルトのデータ無線ベアラ、又は、優先度が低い若しくは高いデータ無線ベアラ）にマッピングすべきことを示す暗黙のルールが無線デバイス３００にあり得る。ターゲット基地局２００は、データ無線ベアラの数を増やすべきであることと、１つのデータ無線ベアラにマッピングされた幾つかのフローを別のデータ無線ベアラに移動すべきことを指示し得る。これは明示的（例えば、フロー１、３、７はデータ無線ベアラ４に移動されるべきである）であり得る、或いは、データ無線ベアラが追加された場合、別のデータ無線ベアラにマッピングされた幾つかのフロー（例えば、あるＱｏＳに関連付けられている）を、このデータ無線ベアラに移動すべきことを示す暗黙のルールが無線デバイス３００にあり得る。
【００４７】
さらなる実施形態によると、モビリティイベントの後に追加された新しいデータ無線ベアラには、初期的に、フローがマッピングされないことがある。代わりに、ターゲット基地局２００は、無線デバイス又はＵＥ３００の到着時に、幾つかの古い又は新しい入力フローの新しいデータ無線ベアラへの移動を開始し得る。フローの移動は、明示的に、或いは、データ無線ベアラが新しいデータ無線ベアラへのＤＬパケットのマッピングを開始し、無線デバイス３００が、ＵＬにおいて、同じデータ無線ベアラ上の同じセッションに関連する対応ＵＬパケットをマッピングする反射ＱｏＳ概念を使用して行われ得る。
【００４８】
さらなる実施形態によると、前記受信することは、無線デバイスがソース基地局１００にハンドオーバされる前、ハンドオーバされると同時に、或いは、ハンドオーバされた後に行われる。
【００４９】
さらなる実施形態によると、前記判定することは、新しいマッピングが現在のマッピングと同じであることを判定すること、或いは、新しいマッピングが第２セットを取得するために第１セットからデータ無線ベアラを削除、或いは、第１セットにデータ無線ベアラを追加することを判定することを含む。この判定はまた、無線デバイス３００がターゲット基地局２００にハンドオーバされた後に、第２セットの新しいデータ無線ベアラと、１つ以上のフロー識別子と、の間の新しいマッピングを判定することを含み得る。
【００５０】
さらなる実施形態によると、前記判定することは、無線デバイス３００がターゲット基地局２００にハンドオーバされた後に、無線デバイス３００とターゲット基地局２００との間の通信に使用される新しいデータ無線ベアラ上の１つ以上のダウンリンクパケットフローに関連付けられた１つ以上のフロー識別子の新しいマッピングを判定することを含む。
【００５１】
さらなる実施形態によると、ターゲット基地局２００は、新しいマッピングに基づいて新しいデータ無線ベアラ上で１つ以上のダウンリンクパケットフローを無線デバイス３００に送信し、前記送信に応答して、無線デバイス３００から、１つ以上のフロー識別子にマッピングされた新しいデータ無線ベアラ上の１つ以上のアップリンクパケットフローを受信する。
【００５２】
さらなる実施形態によると、１つ以上のフロー識別子は、無線デバイス３００が生成又は終端する各パケットフローに関連付けられている。
【００５３】
図７は、本開示の動作を行う様に構成された例示的なソース基地局１００又は別の無線ネットワークノードを示す。一実施形態によると、ソース基地局１００は、無線デバイス３００をターゲット基地局２００にハンドオーバするためのものである。ソース基地局１００は、無線デバイス３００がソース基地局１００からターゲット基地局２００にハンドオーバされることを判定し、ターゲット基地局２００に、無線デバイス３００とソース基地局１００との間の通信に使用されたデータ無線ベアラの第１セットと、１つ以上のフロー識別子と、の間の現在のマッピングを送信する様に構成される。さらなる実施形態によると、基地局１００は、インタフェース回路１１０と、処理回路１２０と、メモリ１４０と、を備える。インタフェース回路１１０は、１つ以上のアンテナ１１５に接続され、無線通信チャネルを介して無線デバイス３００と通信するために必要な無線周波数（ＲＦ）コンポーネントを備える。典型的には、ＲＦコンポーネントは、ＮＲ若しくは５Ｇ規格、又は、フロー識別子のデータ無線ベアラへのマッピングが使用される他の規格に従って通信するように適合された送信機及び受信機を含む。
【００５４】
処理回路１２０は、基地局１００により送信、或いは、受信された信号を処理する。このような処理は、送信信号の符号化及び変調と、受信信号の復調及び復号を含む。一実施形態において、処理回路１２０は、無線デバイス３００がターゲット基地局２００にハンドオーバされることを判定するための判定ユニット１２５と、無線デバイス３００とソース基地局１００との間の通信に使用されるデータ無線ベアラの第１セットへのフロー識別子の現在のマッピングを送信するためのシグナリングユニット１３０と、を備える。処理回路１２０は、１つ以上のマイクロプロセッサと、ハードウェアと、ファームウェアと、それらの組み合わせを含み得る。一実施形態において、判定ユニット１２５及びシグナリングユニット１３０は単一のマイクロプロセッサによって実現される。他の実施形態では、判定ユニット１２５及びシグナリングユニット１３０は、異なるマイクロプロセッサを使用して実現され得る。
【００５５】
メモリ１４０は、処理回路１２０の動作に必要なコンピュータプログラムコード及びデータを格納するための揮発性及び不揮発性メモリの両方を含む。メモリ１４０は、電子、磁気、光学、電磁気、又は、半導体データ記憶装置を含む、データを記憶するための任意の有形の非一時的コンピュータ可読記憶媒体を含み得る。メモリ１４０は、図４による方法４００を実施するように処理回路１２０を構成する実行可能命令を含むコンピュータプログラム１５０を記憶する。一般的に、コンピュータプログラム命令及び構成情報は、読み取り専用メモリ（ＲＯＭ）、消去可能プログラマブル読み取り専用メモリ（ＥＰＲＯＭ）又はフラッシュメモリなどの不揮発性メモリに格納される。動作中に生成された一時データは、ランダムアクセスメモリ（ＲＡＭ）などの揮発性メモリに格納され得る。いくつかの実施形態において、本開示の処理回路１２０を構成するためのコンピュータプログラム１５０は、ポータブルコンパクトディスク、ポータブルデジタルビデオディスク、或いは、別のリムーバブルメディアなどのリムーバブルメモリに格納され得る。
【００５６】
コンピュータプログラム１５０は、また、電気信号、光信号、無線信号、又は、コンピュータ可読記憶媒体などのキャリア内で具現化することができる。
【００５７】
図８は、本開示の動作を行う様に構成された例示的なターゲット基地局２００又は別の無線ネットワークノードを示す。一実施形態によると、無線デバイス３００をソース基地局１００からターゲット基地局２００にハンドオーバするためのターゲット基地局２００は、無線デバイス３００とソース基地局１００との間の通信に使用されるデータ無線ベアラの第１セットと、無線デバイス３００が生成又は終端する各パケットフローに関連付けられた１つ以上のフロー識別子と、の間の現在のマッピングを取得し、無線デバイス３００とターゲット基地局２００との間の通信に使用されるデータ無線ベアラの第２セットと、１つ以上のフロー識別子と、の間の新しいマッピングを判定し、無線デバイス３００に新しいマッピングをシグナリングする様に構成される。
【００５８】
ターゲット基地局２００は、インタフェース回路２１０と、処理回路２２０と、２４０と、を備える。インタフェース回路２１０は、１つ以上のアンテナ２１５に接続され、無線通信チャネルを介して無線デバイス３００と通信するために必要な無線周波数（ＲＦ）コンポーネントを備える。典型的には、ＲＦコンポーネントは、ＮＲ若しくは５Ｇ規格、又は、フロー識別子のデータ無線ベアラへのマッピングが使用される他の規格に従って通信するように適合された送信機及び受信機を含む。
【００５９】
処理回路２２０は、ターゲット基地局２００による送信、又は、受信された信号を処理する。その様な処理は、送信信号の符号化及び変調と、受信信号の復調及び復号を含む。一実施形態において、処理回路２２０は、無線デバイス３００とソース基地局２００との間の通信に使用されるデータ無線ベアラの第１セットへのフロー識別子の現在のマッピングを取得する取得ユニット２２５と、無線デバイス３００とターゲット基地局２００との間の通信に使用されるデータ無線ベアラの第２セットと、フロー識別子と、の間の新しいマッピングを判定するマッピングユニット２３０と、新しいマッピングを無線デバイス３００に送信するためのシグナリングユニット２３５と、を有する。処理回路２２０は、１つ以上のマイクロプロセッサと、ハードウェアと、ファームウェアと、それらの組み合わせと、を含み得る。一実施形態において、取得ユニット２２５、マッピングユニット２３０及びシグナリングユニット２３５は、単一のマイクロプロセッサによって実現される。他の実施形態において、取得ユニット２２５、マッピングユニット２３０及びシグナリングユニット２３５は、異なるマイクロプロセッサを使用して実現され得る。
【００６０】
メモリ２４０は、処理回路２２０の動作に必要なコンピュータプログラムコード及びデータを格納するための揮発性及び不揮発性メモリの両方を含む。メモリ２４０は、電子、磁気、光学、電磁気、又は、半導体データ記憶装置を含む、データを記憶するための任意の有形の非一時的コンピュータ可読記憶媒体を含み得る。メモリ２４０は、図６による方法４００を実施するように処理回路２２０を構成する実行可能命令を含むコンピュータプログラム２５０を記憶する。一般に、コンピュータプログラム命令及び構成情報は、読み取り専用メモリ（ＲＯＭ）、消去可能プログラマブル読み取り専用メモリ（ＥＰＲＯＭ）又はフラッシュメモリなどの不揮発性メモリに格納される。動作中に生成された一時データは、ランダムアクセスメモリ（ＲＡＭ）などの揮発性メモリに格納され得る。いくつかの実施形態において、本開示の処理回路２２０を構成するためのコンピュータプログラム２５０は、ポータブルコンパクトディスク、ポータブルデジタルビデオディスク、或いは、別のリムーバブルメディアなどのリムーバブルメモリに格納され得る。コンピュータプログラム２５０は、また、電気信号、光信号、無線信号、又は、コンピュータ可読記憶媒体などのキャリア内で具現化することができる。
【００６１】
図９は、本開示の動作を行う様に構成されている例示的な無線デバイス３００を示す。一実施形態によると、無線デバイス３００はソース基地局１００からターゲット基地局２００へハンドオーバされることが可能であり、無線デバイス３００は、無線デバイス３００がソース基地局１００からターゲット基地局２００にハンドオーバされることを判定し、ターゲット基地局２００に、無線デバイス３００とソース基地局１００との間の通信に使用されるデータ無線ベアラの第１セットと、無線デバイス３００が生成又は終端する各パケットフローに関連付けられた１つ以上のフロー識別子と、の間の現在のマッピングを送信する様に構成される。
【００６２】
さらなる実施形態によると、無線デバイス３００は、インタフェース回路３３０と、処理回路３２０と、メモリ３４０と、を備える。インタフェース回路３３０は、１つ以上のアンテナ３１５に接続され、無線通信チャネルを介して基地局１００及び２００と通信するために必要な無線周波数（ＲＦ）コンポーネントを備える。典型的には、ＲＦコンポーネントは、ＮＲ若しくは５Ｇ規格、又は、データ無線ベアラへのフロー識別子のマッピングが使用される他の規格に従って通信するように適合された送信機及び受信機を含む。
【００６３】
処理回路３２０は、無線デバイス３００により送信、或いは、受信される信号を処理する。その様な処理は、送信信号の符号化及び変調と、受信信号の復調及び復号化と、を含む。一実施形態において、処理回路３２０は、無線デバイス３００がソース基地局１００からターゲット基地局２００にハンドオーバされることを判定するための判定ユニット３２５と、ターゲット基地局２００に、無線デバイス３００とソース基地局１００との間の通信に使用されるデータ無線ベアラの第１セットへのフロー識別子の現在のマッピングを送信するためのシグナリングユニット３３０と、を備える。処理回路３２０は、１つ以上のマイクロプロセッサと、ハードウェアと、ファームウェアと、それらの組み合わせと、を備え得る。一実施形態において、判定ユニット３２５及びシグナリングユニット３３０は、単一のマイクロプロセッサによって実現される。他の実施形態において、判定ユニット３２５及びシグナリングユニット３３０は、異なるマイクロプロセッサを使用して実現され得る。
【００６４】
メモリ３４０は、処理回路３２０の動作に必要なコンピュータプログラムコード及びデータを格納するための揮発性及び不揮発性メモリの両方を含む。メモリ３４０は、電子、磁気、光学、電磁気、又は、半導体データ記憶装置を含む、データを記憶するための任意の有形の非一時的コンピュータ可読記憶媒体を含み得る。メモリ３４０は、図４による方法４００を実施するように処理回路３２０を構成する実行可能命令を含むコンピュータプログラム３５０を記憶する。一般的に、コンピュータプログラム命令及び構成情報は、読み取り専用メモリ（ＲＯＭ）、消去可能プログラマブル読み取り専用メモリ（ＥＰＲＯＭ）又はフラッシュメモリなどの不揮発性メモリに格納される。動作中に生成された一時データは、ランダムアクセスメモリ（ＲＡＭ）などの揮発性メモリに格納され得る。いくつかの実施形態において、本開示の処理回路３２０を構成するためのコンピュータプログラム３５０は、ポータブルコンパクトディスク、ポータブルデジタルビデオディスク、或いは、別のリムーバブルメディアなどのリムーバブルメモリに格納され得る。コンピュータプログラム３５０は、また、電気信号、光信号、無線信号、又は、コンピュータ可読記憶媒体などのキャリア内で具現化することができる。
【００６５】
図１０は、本開示の様々な態様による無線デバイス１０００の別の実施形態を示している。いくつかの事例では、無線デバイス１０００は、ユーザ装置（ＵＥ）、移動局（ＭＳ）、端末、携帯電話、携帯電話機、パーソナルデジタルアシスタント（ＰＤＡ）、スマートフォン、ワイヤレスフォン、オーガナイザー、ハンドヘルドコンピューター、デスクトップコンピューター、ラップトップコンピューター、タブレットコンピューター、セットトップボックス、テレビ、家電製品、ゲーム装置、医療装置、表示装置、計量装置、モノのインターネット（ＩｏＴ）デバイス、または、その他の用語により参照され得る。さらに、無線デバイスは、１つ以上の周波数帯域と、１つ以上の無線アクセス技術（ＲＡＴ）で動作し得る。他の例では、無線デバイス１０００は、一組のハードウェアコンポーネントであり得る。
【００６６】
図１０において、無線デバイス１０００は、入出力インタフェース１００５と、無線周波数（ＲＦ）インタフェース１００９と、ネットワーク接続インタフェース１０１１と、ランダムアクセスメモリ（ＲＡＭ）１０１７、読み取り専用メモリ（ＲＯＭ）１０１９又は記憶媒体１０２１等を含むメモリ１０１５と、通信サブシステム１０３１と、電源１０３３と、他の構成要素又はそれらの任意の組み合わせと動作可能に結合された処理回路１００１を含むように構成され得る。記憶媒体１０２１は、オペレーティングシステム１０２３と、アプリケーションプログラム１０２５と、データ１０２７等を含み得る。特定のデバイスは、図１０に示される構成要素の総てを利用、或いは、構成要素のサブセットのみを利用し、統合のレベルは装置ごとに異なり得る。さらに、特定のデバイスは、複数の処理回路、メモリ、トランシーバ、送信機、受信機などの構成要素の複数のインスタンスを含むことができる。例えば、コンピューティングデバイスは、処理回路及びメモリを含むように構成することができる。
【００６７】
図１０において、処理回路１００１は、コンピュータの命令及びデータを処理するように構成され得る。処理回路１００１は、メモリに機械可読コンピュータプログラムとして格納された機械命令を実行するように動作する任意の順次状態マシンとして構成することができ、順次状態マシンは、例えば、１つ以上のハードウェア実装状態マシン（例えば、非離散論理、ＦＰＧＡ、ＡＳＩＣ等）、適切なファームウェアを有するプログラマブルロジック、１つ以上の格納プログラム、マイクロプロセッサ又はデジタル信号プロセッサ（ＤＳＰ）の様な適切なソフトウェアを有する汎用処理回路、或いは、それらの任意の組み合わせである。例えば、処理回路１００１は、２つのコンピュータ処理回路を含み得る。一定義では、データは、コンピュータによる使用に適した形式の情報である。当業者であれば、本開示の主題が様々なオペレーティングシステム又はオペレーティングシステムの組み合わせを使用して実現され得ることを認識することに留意することが重要である。
【００６８】
本実施形態では、入力／出力インタフェース１００５は、入力装置、出力装置、又は、入出力装置に通信インタフェースを提供する様に構成され得る。無線デバイス１０００は、入出力インタフェース１００５を介して出力デバイスを使用する様に構成され得る。当業者は、出力デバイスが入力デバイスと同じタイプのインターフェースポートを使用し得ることを認識するであろう。例えば、ＵＳＢポートは、無線デバイス１０００への入力と、無線デバイス１０００からの出力と、を提供するために使用され得る。出力装置は、スピーカ、サウンドカード、ビデオカード、ディスプレイ、モニタ、プリンタ、アクチュエータ、アクチュエータ、エミッタ、スマートカード、他の出力装置、或いは、それらの任意の組み合わせであり得る。無線デバイス１０００は、ユーザが無線デバイス１０００に情報を取り込むことを可能にするために入力／出力インタフェース１００５を介して入力デバイスを使用するように構成され得る。入力デバイスは、マウス、トラックボール、指向性パッド、トラックパッド、プレゼンスセンシティブ入力デバイス、プレゼンスセンシティブディスプレイ等のディスプレイ、スクロールホイール、デジタルカメラ、デジタルビデオカメラ、ウェブカメラ、マイクロフォン、センサ、スマートカード等を含み得る。プレゼンスセンシティブ入力デバイスは、ユーザからの入力を検知するデジタルカメラ、デジタルビデオカメラ、ウェブカメラ、マイクロフォン、センサ等を含み得る。プレゼンスセンシティブ入力デバイスは、プレゼンスセンシティブディスプレイを形成するためにディスプレイと組み合わされ得る。さらに、プレゼンスセンシティブ入力デバイスは、処理回路に結合され得る。センサは、例えば、加速度計、ジャイロスコープ、傾斜センサ、力センサ、磁力計、光学センサ、近接センサ、他の同様のセンサ、又は、それらの任意の組み合わせであり得る。例えば、入力装置は、加速度計、磁力計、デジタルカメラ、マイクロフォン、及び、光学センサであり得る。
【００６９】
図１０において、ＲＦインタフェース１００９は、送信機、受信機及びアンテナ等のＲＦコンポーネントに通信インタフェースを提供するように構成され得る。ネットワーク接続インタフェース１０１１は、通信インタフェースをネットワーク１０４３ａに提供するように構成され得る。ネットワーク１０４３ａは、ローカルエリアネットワーク（ＬＡＮ）、ワイドエリアネットワーク（ＷＡＮ）、コンピュータネットワーク、無線ネットワーク、通信ネットワーク、他の同様のネットワーク、或いは、それらの任意の組み合わせ等の、有線及び無線通信ネットワークを含み得る。例えば、ネットワーク１０４３ａは、Ｗｉ−Ｆｉネットワークであり得る。ネットワーク接続インタフェース１０１１は、イーサネット（登録商標）、ＴＣＰ／ＩＰ、ＳＯＮＥＴ、ＡＴＭ等の既知又は開発中の１つ以上の通信プロトコルに従い、通信ネットワークを介して１つ以上の他のノードと通信するために使用される受信機及び送信機インタフェースを含むように構成され得る。ネットワーク接続インタフェース１０１１は、通信ネットワークリンクに適切な受信機及び送信機機能（例えば、光、電気等）を実現し得る。送信機機能及び受信機機能は、回路コンポーネント、ソフトウェア又はファームウェアを共有してもよく、あるいはその代わりに別々に実装されてもよい。
【００７０】
この実施形態において、ＲＡＭ１０１７は、オペレーティングシステム、アプリケーションプログラム、及び、デバイスドライバなどのソフトウェアプログラムの実行中にデータ又はコンピュータ命令の記憶又はキャッシングを提供するためにバス１００２を介して処理回路１００１にインタフェースするように構成され得る。一例において、無線デバイス１０００は、少なくとも１２８メガバイト（１２８Ｍｂｙｔｅ）のＲＡＭを含み得る。ＲＯＭ１０１９は、コンピュータ命令又はデータを処理回路１００１に提供するように構成され得る。例えば、ＲＯＭ１０１９は、基本入出力（Ｉ／Ｏ）、不揮発性メモリに記憶されているキーボードからのキーストロークの起動又は受信等の基本システム機能のための不変の低レベルシステムコード又はデータであるように構成され得る。記憶媒体１０２１は、ＲＡＭ、ＲＯＭ、プログラム可能読み出し専用メモリ（ＰＲＯＭ）、消去可能プログラマブル読み出し専用メモリ（ＥＰＲＯＭ）、電気的消去可能プログラマブル読み出し専用メモリ（ＥＥＰＲＯＭ）、磁気ディスク、光ディスク、フロッピーディスク、ハードディスク、リムーバブルカートリッジ、フラッシュドライブ等のメモリを含むように構成され得る。一例では、記憶媒体１０２１は、オペレーティングシステム１０２３、ウェブブラウザアプリケーション、ウィジェット若しくはガジェットエンジ、又は、他のアプリケーション等のアプリケーションプログラム１０２５、データファイル１０２７を含むように構成され得る。
【００７１】
図１０において、処理回路１００１は、通信サブシステム１０３１を使用してネットワーク１０４３ｂと通信するように構成され得る。ネットワーク１０４３ａ及びネットワーク１０４３ｂは、同じネットワーク、又は、異なる複数のネットワークであり得る。通信サブシステム１０３１は、ネットワーク１０４３ｂと通信するために使用される１つ以上のトランシーバを含むように構成され得る。例えば、通信サブシステム１０３１は、ＩＥＥＥ８０２．ｘｘ、ＣＤＭＡ、ＷＣＤＭＡ、ＧＳＭ、ＬＴＥ、ＵＴＲＡＮ、ＷｉＭａｘ、５Ｇ  ＮＲ、ＮＢ  ＩｏＴといった、既知又は開発され得る１つ以上の通信プロトコルに従って、無線アクセスネットワーク（ＲＡＮ）の基地局の様な別の無線デバイスの１つ以上の遠隔トランシーバと通信するために使用される１つ以上のトランシーバを含むように構成され得る。
【００７２】
別の例において、通信サブシステム１０３１は、ＩＥＥＥ８０２．ｘｘ、ＣＤＭＡ、ＷＣＤＭＡ、ＧＳＭ、ＬＴＥ、ＵＴＲＡＮ、ＷｉＭａｘ、５Ｇ ＮＲ、ＮＢ  ＩｏＴといった、既知又は開発され得る１つ以上の通信プロトコルに従って、ユーザ装置の様な別の無線デバイスの１つ以上の遠隔トランシーバと通信するために使用される１つ以上のトランシーバを含むように構成され得る。各トランシーバは、ＲＡＮリンク（例えば、周波数割り当てなど）に適切な、送信機又は受信機の機能それぞれを実現するための送信機１０３３又は受信機１０３５を含み得る。さらに、各トランシーバの送信機１０３３及び受信機１０３５は、回路コンポーネント、ソフトウェア、ファームウェアを共有してもよく、あるいは別々に実装されてもよい。本実施形態において、通信サブシステム１０３１の通信機能は、データ通信、音声通信、マルチメディア通信、ブルートゥースなどの近距離通信、近距離無線通信、位置を判定するための全地球測位システム（ＧＰＳ）の使用などの位置ベースの通信、他の同様の通信機能、或いは、それらの任意の組み合わせを含み得る。例えば、通信サブシステム１０３１は、セルラー通信、Ｗｉ−Ｗｉ通信、ブルートゥース通信、ＧＰＳ通信を含み得る。ネットワーク１０４３ｂは、ローカルエリアネットワーク（ＬＡＮ）、ワイドエリアネットワーク（ＷＡＮ）、コンピュータネットワーク、無線ネットワーク、通信ネットワーク、他の同様のネットワーク、或いは、それらの任意の組み合わせ等の、有線及び無線通信ネットワークを含み得る。例えば、ネットワーク１０４３ｂは、セルラーネットワーク、Ｗｉ−Ｆｉネットワーク、近距離無線ネットワークであり得る。電源１０１３は、無線デバイス１０００のコンポーネントに交流（ＡＣ）電力又は直流（ＤＣ）電力を供給するように構成され得る。
【００７３】
図１０において、記憶媒体１０２１は、独立ディスクの冗長アレイ（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）、光ディスクドライブ、内蔵ハードディスクドライブ、ブルーレイ光ディスクドライブ、ホログラフィックデジタルデータストレージ（ＨＤＤＳ）、光ディスクドライブ、外部ミニデュアルインラインメモリモジュール（ＤＩＭＭ）、同期ダイナミックランダムアクセスメモリ（ＳＤＲＡＭ）、外部マイクロＤＩＭＭ  ＳＤＲＡＭ、加入者識別モジュール又はリムーバブルユーザ識別（ＳＩＭ／ＲＵＩＭ）モジュール等のスマートカードメモリ、他のメモリ、或いは、それらの任意の組み合わせといった、複数の物理ドライブユニットを含むように構成され得る。記憶媒体１０２１は、無線デバイス１０００が、一時的又は非一時的メモリ媒体に記憶されたコンピュータ実行可能命令、アプリケーションプログラム等にアクセスすること、データをオフロードすること、データをアップロードすることを可能にし得る。通信システムを利用する製造品は、コンピュータ可読媒体を含み得る記憶媒体１０２１内に有形に具体化することができる。
【００７４】
本開示の方法の機能は、無線デバイス１０００のコンポーネントのうちの１つに実装することも、無線デバイス１０００の複数のコンポーネントにわたって分割することもできる。さらに、本開示の方法は、ハードウェア、ソフトウェア、ファームウェアの任意の組み合わせで実現され得る。一例において、通信サブシステム１０３１は、本開示のコンポーネントのいずれかを含むように構成され得る。さらに、処理回路１００１は、バス１００２を介してそのようなコンポーネントのうちのいずれかと通信するように構成され得る。別の例において、そのようなコンポーネントのうちのいずれかは、メモリに格納されたプログラム命令によって表され、処理回路１００１で実行されると、本開示の対応する機能を実行する。別の例において、そのようなコンポーネントのうちのいずれかの機能は、処理回路１００１と通信サブシステム１０３１とに分割され得る。別の例において、そのようなコンポーネントのうちのいずれかの非計算集約的機能は、ソフトウェア又はファームウェアで実装され、計算集約的機能はハードウェアで実装され得る。
【００７５】
さらに、本明細書で説明される様々な態様は、開示された主題を実現するためにコンピューティングデバイスを制御する、ソフトウェア、ファームウェア、ハードウェア（例えば回路）、或いは、それらの任意の組み合わせを生成するための標準プログラミング又はエンジニアリング技法を使用して実現され得る。当然のことながら、いくつかの実施形態は、マイクロプロセッサ、デジタル信号プロセッサ、カスタマイズされたプロセッサ、フィールドプログラマブルゲートアレイ（ＦＰＧＡ）等の１つ以上の汎用又は専用プロセッサと、特定の非プロセッサ回路と共に本明細書に記載の方法、装置及びシステムの機能の一部、大部分、或いは、全部を実現する実装するために、１以上のプロセッサを制御する特定の格納プログラム命令（ソフトウェア及びファームウェアの両方を含む）と、で構成され得る。あるいは、幾つか、或いは、総ての機能は、記憶されたプログラム命令を持たない状態マシンにより、或いは、１つ以上の特定用途向け集積回路（ＡＳＩＣ）において実現され、そこでは、各機能、或いは、特定機能の幾つかの組み合わせは、カスタム論理回路として実装され得る。２つのアプローチの組み合わせが使用され得る。多大な努力と、利用可能な時間、現在の技術、経済的考察によって動機付けられる多くの設計選択にかかわらず、もかかわらず、本明細書に開示されている概念及び原理に従い、当業者は、最小限の実験でその様なソフトウェア命令、プログラム、ＩＣを容易に生成できるであろう。
【００７６】
本明細書で使用される"製品"という用語は、任意のコンピューティングデバイス、キャリア、又は、媒体からアクセス可能なコンピュータプログラムを包含することを意図している。例えば、コンピュータ可読媒体は、ハードディスク、フロッピーディスク又は磁気ストリップの様な磁気記憶装置、コンパクトディスク（ＣＤ）又はデジタル多用途ディスク（ＤＶＤ）の様な光ディスク、スマートカードカード、スティック、キードライブ等のフラッシュメモリデバイスを含み得る。さらに、搬送波は、電子メール（ｅメール）等の電子データの送受信、或いは、インターネット又はローカルエリアネットワーク（ＬＡＮ）等のコンピュータネットワークへのアクセスに使用されるコンピュータ可読電子データを搬送するために使用され得る。もちろん、当業者であれば、本開示の主題の範囲又は精神から逸脱することなく、この構成に多くの修正を加えることができることを理解するであろう。
【００７７】
明細書及び実施形態を通して、以下の用語は、文脈が明らかにそうではないと示さない限り、少なくとも本明細書に明示的に関連する意味をとる。"第１"及び"第２"などの関係用語は、必ずしもそのようなエンティティ又は動作間の実際のそのような関係又は順序を要求又は暗示することなく、１つのエンティティ又は動作を別のエンティティ又は動作から区別するためにのみ使用され得る。別段の指定がない限り、或いは、排他的な形に向けられると文脈から明らかでない限り、"又は"は包括的な"又は"を意味することを意図している。別段の指定がない限り、或いは、単一形式を示していることが文脈から明らかでない限り、単数形は、１つ以上を意味することを意図している。用語"備える"等は、含むことを意図するが、それに限定されない。"一実施形態"、"さらなる実施形態"、"実施形態"、"例示的実施形態"、"様々な実施形態"、および他の同様の用語への言及は、開示技術の実施形態が特定の機能、特徴、構造、特性を含み得ることを示すが、各実施形態が必ずしも特定の機能、特徴、構造、特性を含む必要はない。さらに、"一実施形態において"という句の繰り返しの使用は、同じ実施形態を必ずしも示すものではないが、示す場合もあり得る。
【図１】
2019536342.tif 000003
【図２】
2019536342.tif 000004
【図３】
2019536342.tif 000005
【図４】
2019536342.tif 000006
【図５】
2019536342.tif 000007
【図６】
2019536342.tif 000008
【図７】
2019536342.tif 000009
【図８】
2019536342.tif 000010
【図９】
2019536342.tif 000011
【図１０】
2019536342.tif 000012
【手続補正書】
【提出日】令和1年6月3日(2019.6.3)
【手続補正１】
【補正対象書類名】特許請求の範囲
【補正対象項目名】全文
【補正方法】変更
【補正の内容】
【特許請求の範囲】
【請求項１】
ソース基地局からターゲット基地局に無線デバイスをハンドオーバする、前記ソース基地局によって実行される方法であって、
前記ソース基地局から前記ターゲット基地局に無線デバイスがハンドオーバされることを判定することと、
前記ターゲット基地局に、前記無線デバイスと前記ソース基地局との間の通信に使用されるデータ無線ベアラの第１セットと、１つ以上のフロー識別子と、の現在のマッピングを送信することと、
を含む方法。
【請求項２】
請求項１に記載の方法であって、さらに、
ネットワークノード又は無線デバイスから前記現在のマッピングを受信することを含む、方法。
【請求項３】
請求項１又は２に記載の方法であって、
前記現在のマッピングを送信することは、前記無線デバイスが前記ターゲット基地局にハンドオーバされる前、ハンドオーバされると同時、或いは、ハンドオーバされた後である、方法。
【請求項４】
請求項１から３のいずれか１項に記載の方法であって、
前記１つ以上のフロー識別子は、前記無線デバイスが生成又は終端する各パケットフローに関連付けられている、方法。
【請求項５】
請求項１から４のいずれか１項に記載の方法であって、さらに、
前記ターゲット基地局から、前記無線デバイスと前記ターゲット基地局との間の通信に使用されるデータ無線ベアラの第２セットと、前記１つ以上のフロー識別子と、の新しいマッピングの表示を受信することと、
前記無線デバイスに、前記表示を送信することと、
を含む方法。
【請求項６】
請求項１から４のいずれか１項に記載の方法であって、さらに、
前記無線デバイスから、前記無線デバイスと前記ターゲット基地局との間の通信に使用されるデータ無線ベアラの第２セットと、前記１つ以上のフロー識別子と、の新しいマッピングの表示を受信することと、
前記ターゲット基地局に、前記表示を送信することと、
を含む方法。
【請求項７】
請求項５又は６に記載の方法であって、
前記新しいマッピングを送信することは、前記無線デバイスが前記ターゲット基地局にハンドオーバされる前、ハンドオーバされると同時、或いは、ハンドオーバされた後である、方法。
【請求項８】
無線デバイスをターゲット基地局にハンドオーバするソース基地局であって、
前記ソース基地局から前記ターゲット基地局に前記無線デバイスがハンドオーバされることを判定し、
前記ターゲット基地局に、前記無線デバイスと前記ソース基地局との間の通信に使用されるデータ無線ベアラの第１セットと、１つ以上のフロー識別子と、の現在のマッピングを送信する様に構成される、ソース基地局。
【請求項９】
請求項８に記載のソース基地局であって、
請求項２から７のいずれか１項に記載の方法を実行する様に構成される、ソース基地局。
【請求項１０】
ソース基地局からターゲット基地局に無線デバイスをハンドオーバするために、前記無線デバイスによって実行される方法であって、
前記ソース基地局から前記ターゲット基地局に前記無線デバイスがハンドオーバされることを判定することと、
前記ターゲット基地局に、前記無線デバイスと前記ソース基地局との間の通信に使用されるデータ無線ベアラの第１セットと、１つ以上のフロー識別子と、の現在のマッピングを送信することと、
を含む方法。
【請求項１１】
請求項１０に記載の方法であって、
前記現在のマッピングを送信することは、前記ソース基地局を介する、方法。
【請求項１２】
請求項１０又は１１に記載の方法であって、さらに、
前記無線デバイスと前記ターゲット基地局との間の通信に使用されるデータ無線ベアラの第２セットと、前記１つ以上のフロー識別子と、の新しいマッピングを取得することを含む、方法。
【請求項１３】
請求項１２に記載の方法であって、
前記取得することは、前記ターゲット基地局から、前記新しいマッピングの表示を受信することを含む、方法。
【請求項１４】
請求項１３に記載の方法であって、
前記受信することは、前記ソース基地局を介する、方法。
【請求項１５】
請求項１３又は１４に記載の方法であって、さらに、
前記ターゲット基地局に、前記新しいマッピングの受信を確認する表示を送信することを含む、方法。
【請求項１６】
請求項１５に記載の方法であって、
前記確認の表示を送信することは、前記ソース基地局を介する、方法。
【請求項１７】
請求項１２から１６のいずれか１項に記載の方法であって、
前記新しいマッピングは、前記現在のマッピングと同じ、或いは、前記新しいマッピングは、前記第２セットを取得するために、前記第１セットからデータ無線ベアラを削除、若しくは、前記第１セットにデータ無線ベアラを追加する、方法。
【請求項１８】
請求項１０又は１１に記載の方法であって、さらに、
前記無線デバイスが前記ターゲット基地局にハンドオーバされた後、
前記ターゲット基地局から、前記無線デバイスと前記ターゲット基地局との間の通信に使用される新しいデータ無線ベアラ上の１つ以上のダウンリンクパケットフローに関連付けられた１つ以上のフロー識別子を受信することと、
前記１つ以上のフロー識別子を１つ以上のアップリングパケットフローにマッピングすることと、
前記ターゲット基地局に、前記新しい無線ベアラ上の前記１つ以上のアップリングパケットフローを送信することと、
を含む方法。
【請求項１９】
請求項１０又は１１に記載の方法であって、さらに、
前記無線デバイスが前記ターゲット基地局にハンドオーバされた後、前記無線デバイスと前記ターゲット基地局との間の通信に使用されるデフォルトデータ無線ベアラに前記１つ以上のフロー識別子をマッピングすることを含む、方法。
【請求項２０】
請求項１０又は１１に記載の方法であって、さらに、
前記ターゲット基地局へのハンドオーバが失敗した後、前記現在のマッピングに基づき前記第１セットに前記１つ以上のフロー識別子をマッピングすることを含む、方法。
【請求項２１】
請求項１０から１２のいずれか１項に記載の方法であって、
前記１つ以上のフロー識別子は、前記無線デバイスが生成又は終端する各パケットフローに関連付けられている、方法。
【請求項２２】
ソース基地局からターゲット基地局にハンドオーバされ得る無線デバイスであって、
前記ソース基地局から前記ターゲット基地局に前記無線デバイスがハンドオーバされることを判定し、
前記ターゲット基地局に、前記無線デバイスと前記ソース基地局との間の通信に使用されるデータ無線ベアラの第１セットと、前記無線デバイスが生成又は終端する各パケットフローに関連付けられた１つ以上のフロー識別子と、の現在のマッピングを送信する様に構成される、無線デバイス。
【請求項２３】
請求項２２に記載の無線デバイスであって、
請求項１１から２１のいずれか１項に記載の方法を実行する様に構成される、無線デバイス。
【請求項２４】
ソース基地局からターゲット基地局に無線デバイスをハンドオーバする、前記ターゲット基地局によって実行される方法であって、
前記無線デバイスと前記ソース基地局との間の通信に使用されるデータ無線ベアラの第１セットと、１つ以上のフロー識別子と、の現在のマッピングを取得することと、
前記無線デバイスと前記ターゲット基地局との間の通信に使用されるデータ無線ベアラの第２セットと、前記１つ以上のフロー識別子と、の新しいマッピングを判定することと、
前記新しいマッピングを前記無線デバイスにシグナリングすることと、
を含む方法。
【請求項２５】
請求項２４に記載の方法であって、
前記取得することは、前記ソース基地局又は前記無線デバイスから、前記現在のマッピングを受信することを含む、方法。
【請求項２６】
請求項２５に記載の方法であって、
前記受信することは、前記ソース基地局を介する、方法。
【請求項２７】
請求項２５又は２６に記載の方法であって、
前記受信することは、前記無線デバイスが前記ターゲット基地局にハンドオーバされる前、ハンドオーバされると同時、或いは、ハンドオーバされた後である、方法。
【請求項２８】
請求項２４から２７のいずれか１項に記載の方法であって、
前記判定することは、前記新しいマッピングが、前記現在のマッピングと同じであることを判定すること、或いは、前記新しいマッピングが、前記第２セットを取得するために、前記第１セットからデータ無線ベアラを削除、或いは、前記第１セットにデータ無線ベアラを追加すると判定することを含む、方法。
【請求項２９】
請求項２４から２７のいずれか１項に記載の方法であって、
前記判定することは、前記無線デバイスが前記ターゲット基地局にハンドオーバされた後、前記第２セットの新しいデータ無線ベアラと、前記１つ以上のフロー識別子と、の新しいマッピングを判定することを含む、方法。
【請求項３０】
請求項２４から２７のいずれか１項に記載の方法であって、
前記判定することは、前記無線デバイスが前記ターゲット基地局にハンドオーバされた後、前記無線デバイスと前記ターゲット基地局との間の通信に使用される新しいデータ無線ベアラ上の１つ以上のダウンリンクパケットフローに関連付けられた前記１つ以上のフロー識別子の新しいマッピングを判定することを含む、方法。
【請求項３１】
請求項３０に記載の方法であって、さらに、
前記無線デバイスに、前記新しいマッピングに基づき前記新しいデータ無線ベアラ上で前記１つ以上のダウンリンクパケットフローを送信し、前記送信に応答して、前記無線デバイスから、前記１つ以上のフロー識別子にマッピングされた前記新しいデータ無線ベアラ上の１つ以上のアップリンクパケットフローを受信することを含む、方法。
【請求項３２】
請求項２４から３１のいずれか１項に記載の方法であって、
前記シグナリングすることは、前記無線デバイスに、前記新しいマッピングの表示を送信することを含む、方法。
【請求項３３】
請求項３２に記載の方法であって、
前記新しいマッピングの表示を送信することは、前記ソース基地局を介する、方法。
【請求項３４】
請求項２４から３３のいずれか１項に記載の方法であって、
前記１つ以上のフロー識別子は、前記無線デバイスが生成又は終端する各パケットフローに関連付けられている、方法。
【請求項３５】
ソース基地局からターゲット基地局に無線デバイスをハンドオーバする前記ターゲット基地局であって、
前記無線デバイスと前記ソース基地局との間の通信に使用されるデータ無線ベアラの第１セットと、前記無線デバイスが生成又は終端する各パケットフローに関連付けられた１つ以上のフロー識別子と、の現在のマッピングを取得し、
前記無線デバイスと前記ターゲット基地局との間の通信に使用されるデータ無線ベアラの第２セットと、前記１つ以上のフロー識別子と、の新しいマッピングを判定し、
前記無線デバイスに、前記新しいマッピングを通知する様に構成される、ターゲット基地局。
【請求項３６】
請求項３５に記載のターゲット基地局であって、
請求項２５から３４のいずれか１項に記載の方法を実行する様に構成される、ターゲット基地局。
【請求項３７】
少なくとも１つのプロセッサで実行されると、前記少なくとも１つのプロセッサに、請求項１から７のいずれか１項に記載の方法、請求項１０から２１のいずれか１項に記載の方法、或いは、請求項２４から３４のいずれか１項に記載の方法を実行させる命令を含む、コンピュータプログラム。
【請求項３８】
請求項３７に記載のコンピュータプログラムを含むコンピュータ可読記憶媒体。
【請求項３９】
少なくとも１つのプロセッサで実行されると、前記少なくとも１つのプロセッサに、請求項１から７のいずれか１項に記載の方法、請求項１０から２１のいずれか１項に記載の方法、或いは、請求項２４から３４のいずれか１項に記載の方法を実行させる命令を含むコンピュータプログラムを格納する、コンピュータ可読記憶媒体。
【国際調査報告】
2019536342.tif 000013
2019536342.tif 000014
2019536342.tif 000015